(57)【要約】【課題】光源と対応する領域における映像の輝度の時間的変化に応じた、光源の輝度の制御を実現する。【解決手段】映像を表す映像データを取得する取得部（３２）と、映像を表示するための複数の光源（５０）と、複数の光源（５０）の各々と対応する領域における当該映像の輝度の時間的変化を示す、光源毎の輝度情報を、当該映像が表示される前に取得する取得部（３２）と、取得部（３２）が取得した輝度情報を参照して、複数の光源（５０）の各々の輝度を制御する光源制御部（４８）とを備える。【選択図】図６
2018045150.tif 000002
【特許請求の範囲】
【請求項１】
映像データを取得する映像データ取得部と、
映像を表示するための複数の光源と、
上記複数の光源の各々と対応する領域における当該映像の輝度の時間的変化を示す、光源毎の輝度情報を、当該映像が表示される前に取得する輝度情報取得部と、
上記輝度情報取得部が取得した輝度情報を参照して、上記複数の光源の各々の輝度を制御する制御部と
を備えることを特徴とする表示装置。
【請求項２】
上記制御部は、上記光源毎の輝度情報から、所定の長さを有する期間内において、上記複数の光源の各々と対応する領域のうち最大輝度を持つ領域と、その最大輝度の値とに応じて、上記複数の光源の各々の輝度を制御する
ことを特徴とする請求項１に記載の表示装置。
【請求項３】
上記制御部は、上記複数の光源の各々の温度に関連する指標を算出し、算出した指標が所定の閾値を超えないように制御する
ことを特徴とする請求項１または２に記載の表示装置。
【請求項４】
上記複数の光源の配置に応じて、上記光源毎の輝度情報を変換する変換部をさらに備える
ことを特徴とする請求項１〜３の何れか１項に記載の表示装置。
【請求項５】
請求項１〜４の何れか１項に記載の表示装置を備え、上記映像データ取得部がチューナーであることを特徴とするテレビジョン受像機。
【請求項６】
請求項１に記載の表示装置としてコンピュータを機能させるための表示プログラムであって、上記制御部としてコンピュータを機能させるための表示プログラム。
【請求項７】
請求項６に記載の表示プログラムを記録したコンピュータ読み取り可能な記録媒体。
【請求項８】
映像を構成する複数の領域における当該映像の輝度の時間的変化を示す輝度情報を生成する生成部
を備えることを特徴とする輝度情報生成装置。
【請求項９】
請求項８に記載の輝度情報生成装置によって生成された輝度情報を記憶する記憶部を備えることを特徴とするサーバ。
【請求項１０】
請求項８に記載の輝度情報生成装置が生成した上記輝度情報が記憶されたコンピュータ読み取り可能な記録媒体。
【発明の詳細な説明】
【技術分野】
【０００１】
表示装置、表示プログラム、テレビジョン受像機、輝度情報生成装置、サーバ、および記録媒体に関する。
【背景技術】
【０００２】
近年、従来使われている標準ダイナミックレンジ（ＳＤＲ）映像データよりも大幅に広い範囲の輝度を表現することができる高ダイナミックレンジ（ＨＤＲ）映像データを用いた表示技術が提案されている。
【０００３】
また、表示画面を複数の領域で構成し、この複数の領域の輝度を複数の領域の各々に対応する光源の発光輝度を個別に制御することで、表示画面用バックライトの明るさを部分的に変更し、表示画面のコントラストを高める技術がある。このように発光輝度を個別に制御する方法は、一般的にローカルディミング制御と呼ばれている。ローカルディミング制御では、表示画面を構成する複数の領域のそれぞれについて、画像信号の輝度値を分析し、対応する光源の発光輝度を輝度値の分析結果に基づいて制御する処理が行われる。
【０００４】
ＨＤＲ映像データを用いた表示技術では、ローカルディミング制御を行い、表示画面の一部の領域に集中して大電力を供給し、一部の領域の輝きを際立たせているが、集中して大電力が供給された一部の領域に対応する光源は、温度が上昇しやすくなり、高温が続くと劣化しやすくなる。これに対し、所定の時間、特定の光源に大電力の供給があると、供給電力を抑えることにより、光源の温度上昇を抑える技術がある。
【０００５】
コンテンツの映像信号を解析し、コンテンツの映像の特徴点情報を抽出して、コンテンツを再生するときに、コンテンツの映像の出力画質を調整する技術は、例えば特許文献１に開示されている。
【先行技術文献】
【特許文献】
【０００６】
【特許文献１】特開２００９−１９４５５０号公報（２００９年８月２７日公開）
【発明の概要】
【発明が解決しようとする課題】
【０００７】
しかしながら、光源への供給電力を抑えたために、本来は高輝度とすべき箇所の輝度が低くなり、表示品質が下がる、という問題がある。
【０００８】
本発明は、前記の問題点に鑑みてなされたものであり、その目的は、光源と対応する領域における映像の輝度の時間的変化に応じた、光源の輝度の制御を実現することにある。
【課題を解決するための手段】
【０００９】
本発明の一態様に係る表示装置は、映像を表す映像データを取得する映像データ取得部と、映像を表示するための複数の光源と、上記複数の光源の各々と対応する領域における当該映像の輝度の時間的変化を示す、光源毎の輝度情報を、当該映像が表示される前に取得する輝度情報取得部と、上記輝度情報取得部が取得した輝度情報を参照して、上記複数の光源の各々の輝度を制御する制御部とを備えている。
【００１０】
また、上記の課題を解決するために、本発明の一態様に係る輝度情報生成装置は、映像を構成する複数の領域における当該映像の輝度の時間的変化を示す輝度情報を生成する生成部を備えている。
【発明の効果】
【００１１】
本発明の一態様によれば、光源と対応する領域における映像の輝度の時間的変化に応じて、光源の輝度を制御することができる、という効果を奏する。
【図面の簡単な説明】
【００１２】
【図１】本発明の実施形態１に係る輝度情報生成装置、およびサーバの機能ブロック図である。
【図２】表示部の高輝度領域の輝度の時間的変化を示す図である。
【図３】輝度情報の保存方法の一例を示す図である。
【図４】本発明の実施形態１に係るサーバに格納されたデータベースの一例を示す図である。
【図５】本発明の実施形態２に係る表示装置を搭載したテレビジョン受像機の外観を示す図である。
【図６】本発明の実施形態２に係る表示装置の機能ブロック図である。
【図７】映像の複数の領域への分割方法が異なる場合の一例を説明する図である。
【図８】映像の再生が進行するのに伴う映像の変化の一例を説明する図である。
【図９】映像の再生が進行するのに伴う映像の輝度の変化の一例を説明する表である。
【図１０】本発明の実施形態２に係る表示装置における制御のフローチャートである。
【発明を実施するための形態】
【００１３】
〔実施形態１〕
以下、本発明の実施の形態について、図１〜図４に基づいて詳細に説明する。
【００１４】
図１は、本実施形態に係る輝度情報生成装置１０、およびサーバ２０の概要を示す機能ブロック図である。
【００１５】
輝度情報生成装置１０は、生成部１２を備えている。
【００１６】
生成部１２は、映像データが表す映像を複数の領域に分割し、この分割した領域の映像の輝度の時間的変化を示す輝度情報を生成する。映像の輝度の時間的変化とは、映像の再生が進行するのに伴う映像の輝度の変化を指す。したがって、映像の輝度の時間的変化を示す輝度情報とは、映像の再生が進行するのに伴う、各領域における映像の輝度の変化を示す情報である。
【００１７】
図２を参照して、映像の輝度の時間的変化の例を説明する。
【００１８】
図２の（ａ）は、領域が６０（縦６×横１０）分割されている表示部４４ａを示している。表示部４４ａは、映像を再生表示する。表示部４４ａは、輝度が他の領域よりも高い高輝度領域４５を含んでいる。
【００１９】
図２の（ｂ）は、既成の映像の、高輝度領域４５における輝度の時間的変化を示す輝度情報の一例を示している。図２の（ｂ）に示される輝度情報は、映像データから、映像データが表す映像を表現するのに適した輝度の時間的変化の情報のみを抽出した情報である。この例において、高輝度領域４５の輝度は、時間とともに上昇し続け、最後にピークを迎える。
【００２０】
ここで、高輝度を表現させるように光源を制御するためには、光源に大電圧を供給する必要がある。しかし、光源に大電圧を供給し続けると、光源が高温になり、光源が劣化しやすくなる。そこで、光源の劣化を防ぐべく、光源に供給する電力を調整して、光源の温度制御をする。
【００２１】
図２の（ｃ）および図２の（ｄ）は、図２の（ｂ）に示されるように輝度が変化する映像を表す映像データに対し、従来の光源の温度制限のための調整が施された輝度の時間に伴う変化の例を示している。この例は、本実施形態における輝度の時間に伴う変化の比較例として示している。図２の（ｃ）に示す例においては、例えば１０００ｃｄ等の予め定められた輝度の閾値を超えて、予め定められた期間（例えば１０秒）が経過すると、輝度を徐々に下降するように輝度情報が変換されている。これは比較的長時間（例えば３０秒）の輝度情報の示す供給電力の積算で温度を予測した場合である。また、図２の（ｄ）に示す例においては、予め定められた輝度の閾値を超えると、短期間の高輝度の状態と短期間の例えば７００ｃｄの中輝度の状態とが交互に現れるように輝度情報が変換されている。これは比較的短時間（例えば３秒）の輝度情報の示す供給電力の積算で温度を予測し温度が下がったと思われると高輝度を出力することを繰り返した場合である。図２の（ｃ）および（ｄ）の何れが示す場合においても、輝度がピークであってほしいタイミングにおいて、高輝度領域４５で輝度のピークを表示させることができない。
【００２２】
これに対し、本実施形態の、光源の温度制限のための調整が施された輝度の時間に伴う変化の例を図２の（ｅ）に示す。本実施形態においては、輝度が閾値を超えないように、所定時間に渡って、もともとの輝度情報（図２の（ｂ）参照）の輝度と比較して、輝度を低くし、輝度にピークを迎えさせたいタイミングで、輝度がピークを迎えるように輝度を調整する。これにより、映像の作成時の輝度（輝度情報で表される輝度）よりも、高輝度領域４５の輝度が全体的に低くはなるが、輝度にピークを迎えさせたいタイミングで、輝度にピークを迎えさせることができる。
【００２３】
生成部１２は、映像を再生表示する機器の機種に応じて、映像を複数の領域に分割する。つまり生成部１２は、同じ映像について、機種Ａ用、機種Ｂ用、・・・、機種Ｄ用等、複数の機種に応じた領域分割をし、複数の輝度情報を生成する。
【００２４】
図１に示されるように、サーバ２０は、記憶部２２を備えている。記憶部２２は、輝度情報生成装置１０の生成部１２が生成した輝度情報を生成部１２から取得し、記憶する。記憶部２２は、生成部１２が生成した、複数の機種に応じた複数の輝度情報を記憶する。
【００２５】
なお、輝度情報生成装置１０の生成部１２が生成した輝度情報を記録したコンピュータ読み取り可能な記録媒体も本明細書に記載の発明に含まれる。
【００２６】
図３を参照して、記憶部２２に記憶される輝度情報について説明する。
【００２７】
図３の（ａ）は、領域が６０（縦６×横１０）分割されている表示部４４ｂを示している。表示部が幾つの領域に分割されるかは、映像を再生表示する機器の機種に応じて決まる。
【００２８】
図３の（ｂ）は、輝度情報を１秒毎に区分していることを示している。
【００２９】
輝度情報は、記憶部２２に、領域毎、１秒毎に例えば１バイト（８ｂｉｔ）で保存される。図３に示す例においては領域が６０分割されているので、１秒毎に６０バイトが使われ、１時間あたり２１６ｋバイト（６０分割×６０秒×６０分＝２１６，０００バイト）が使われる。記憶部２２は、輝度情報のデータベースを格納している。
【００３０】
本実施形態においては、輝度情報を１秒毎に区分しているが、何秒毎に区分するかは光源の温度に対する耐性度合に応じて定めるべきであり、何秒毎に区分したデータなのかは、データベースのヘッダ領域に保存しておけばよい。
【００３１】
図４は、サーバ２０の記憶部２２に格納されたデータベースの構成例を示している。
【００３２】
データベースは、機種毎、メディアの形態毎等に設けられている。図４に示される本実施形態の記憶部２２は、機種Ａ用の輝度情報のデータベース、機種Ｂ用の輝度情報のデータベース、機種Ｃ用の輝度情報のデータベース、・・・、機種Ｄ用の輝度情報のデータベースが設けられ、各々の機種毎のデータベース内には、メディアの形態毎のデータベースが設けられている。例えば機種Ａ用の輝度情報のデータベースには、ＤＶＤに格納されていたコンテンツＡ用の輝度情報のデータベース、ブルーレイディスクに格納されていたコンテンツＡ用の輝度情報のデータベース、ＤＶＤに格納されていたコンテンツＢ用の輝度情報のデータベース、・・・、インターネット等のネットワークを介して取得したコンテンツＡ用の輝度情報のデータベースが設けられている。
【００３３】
〔実施形態２〕
本発明の他の実施の形態について、図５〜図１０に基づいて詳細に説明する。
【００３４】
図５は、本実施形態に係る表示装置３０を備えるテレビジョン受像機１００の外観を示す図である。テレビジョン受像機１００は、表示部４４と、映像データを取得するためのチューナー（不図示）とを備えている。
【００３５】
図６は、本実施形態に係る表示装置３０の概要を示す機能ブロック図である。
【００３６】
本実施形態の表示装置３０は、表示部４４の背面から、光源５０で輝度を与える。
【００３７】
表示装置３０は、取得部３２、ローカルディミング制御部３４、表示制御部４２、表示部４４、光源制御部４８、および光源５０を備えている。
【００３８】
ローカルディミング制御部３４は、平均輝度レベル検出部３６、ピーク輝度検出部３８、温度制限部４０を含んでいる。
【００３９】
取得部３２は、映像データ、および輝度情報を取得する。
【００４０】
取得部３２は、輝度情報を、サーバ２０の記憶部２２から取得してもよいし、コンピュータ読み取り可能な記録媒体から取得してもよい。サーバ２０の記憶部２２、および記録媒体の各々には、輝度情報生成装置１０の生成部１２が生成した輝度情報が格納されている。
【００４１】
また、取得部３２は、チューナーとして機能してもよい。
【００４２】
ローカルディミング制御部３４は、映像を構成する複数の領域のそれぞれについて、映像の輝度を分析し、領域に対応する光源５０の輝度を、映像の輝度の分析結果に基づいて制御する。
【００４３】
表示部４４は、本実施形態においては、液晶パネルであり、非発光型である。
【００４４】
光源５０は、独立して輝度調整可能な幾つかの領域に分かれている。本実施形態においては、光源５０として直下型方式バックライトを用いる。
【００４５】
ローカルディミング制御部３４は、映像データの内容に応じて、光源５０の輝度を局所的に変更する。例えば、映像中の暗い部分について、映像の階調を小さくするだけでなく、光源５０の輝度も下げて、表示映像のダイナミックレンジを高めるように制御する。
【００４６】
ローカルディミング制御部３４は、映像データに応じて、領域分割された光源５０の各領域の輝度データを算出する（例えば、分割数が、横１０分割、縦６分割の場合は、１０×６個の輝度データ）。
【００４７】
平均輝度レベル検出部３６は、各領域の輝度データの平均輝度レベルを検出する。
【００４８】
ピーク輝度検出部３８は、所定の長さを有する期間内において、複数の光源５０の各々と対応する領域のうち最大輝度を持つ領域と、その最大輝度の値とを検出する。所定の長さを有する期間は、例えば３０秒等であり、大電力を供給されて高温になった光源５０が冷えるのに要する時間であってよい。
【００４９】
温度制限部４０は、光源５０の発光輝度と発光時間とに応じて、光源５０が高温になり過ぎないように光源５０の輝度を制御する。温度制限部４０は、取得部３２から、輝度情報を取得する。温度制限部４０は、輝度情報を参照して、未来の所定の期間の間に、高輝度が所定時間続く映像の場合は、映像全体の輝度を低く制限するように輝度を調整する。
【００５０】
表示制御部４２は、取得部３２が取得した映像データ、平均輝度レベル検出部３６が検出した平均輝度レベル、ピーク輝度検出部３８が検出したピーク輝度、および温度制限部４０による輝度の調整に応じて、表示部４４の表示を制御する。
【００５１】
光源制御部４８は、平均輝度レベル検出部３６が検出した平均輝度レベル、ピーク輝度検出部３８が検出したピーク輝度、および温度制限部４０による輝度の調整に応じて、光源５０の発光を制御する。
【００５２】
ところで、記録媒体は容量の都合から、表示装置の全ての機種毎の輝度情報を格納できない場合がある。取得部３２が、記録媒体から輝度情報を取得する場合においては、取得部３２は、表示装置３０に備わる光源５０の配置に応じて、取得した輝度情報を変換する。すなわち取得部３２は、記録媒体から取得した輝度情報が、図７の（ａ）に示すような、横１６分割、縦１６分割の分割数で表示部を分割する機種に対応する情報であったとき、表示装置３０が、横１０分割、縦６分割の分割数で表示部４４を分割する機種であったならば、図７の（ｂ）に示すように、横１０分割、縦６分割の分割数で表示部を分割する機種に対応する輝度情報に変換する。図７の（ｃ）に示すように、取得部３２は、１６×１６の分割数のデータベースを、１０×６の分割数のデータベースに変換する。
【００５３】
図８は、映像の再生が進行するのに伴う映像の変化の一例を説明する図である。
【００５４】
図８の（ａ）に示すように、０秒〜２０秒までは、図８の（ｂ）に示す「表示１」が表示部４４ｆに表示される。すなわち、０秒〜２０秒までは、表示部４４ｆの高輝度領域４６が高輝度の表示を行う。取得部３２が取得した高輝度領域４６の輝度情報は、０秒〜２０秒の間、１０００ｃｄである。一方、図８の（ａ）に示すように、２０秒〜５０秒までは、図８の（ｃ）に示す「表示２」が表示部４４ｇに表示される。すなわち、２０秒〜５０秒までは、表示部４４ｇの高輝度領域４７が高輝度の表示を行う。取得部３２が取得した高輝度領域４７の輝度情報は、２０秒〜５０秒の間、１０００ｃｄである。
【００５５】
図９は、映像の再生が進行するのに伴う高輝度領域の輝度の変化の一例を説明する表である。図９の（ａ）は、比較例として、従来の温度制限を行った場合の各高輝度領域４６，４７の輝度を示している。図９の（ｂ）は、本実施形態の温度制限を行った場合の各高輝度領域４６，４７の輝度を示している。
【００５６】
図９の（ａ）に示される比較例では、光源５０の輝度の閾値が１０００ｃｄであり、１０００ｃｄの輝度の状態が１０秒を超えると温度制限がかかる。高輝度領域４６では、閾値以上の輝度で０秒〜１０秒の期間、１０００ｃｄで表示したので、１０秒〜２０秒の期間の輝度が３００ｃｄに制限される。また、高輝度領域４７では、２０秒〜３０秒の期間、１０００ｃｄで表示したので、３０秒〜５０秒の期間の輝度が３００ｃｄに制限される。
【００５７】
これに対し、本実施形態では、図９の（ｂ）に示されるように、高輝度領域４６，４７の輝度を閾値まで高くすることを制限する。すなわち、高輝度領域４６を高輝度で保ちたい期間（輝度情報の輝度が１０００ｃｄである期間）は０秒〜２０秒の期間であるので、輝度を７００ｃｄに抑えることで、高輝度で保ちたい期間の間、同じ高輝度で表示されるように制御する。また、高輝度領域４７を高輝度で保ちたい期間（輝度情報の輝度が１０００ｃｄである期間）は２０秒〜５０秒の期間であるので、輝度を６００ｃｄに抑えることで、高輝度で保ちたい期間の間、同じ高輝度で表示されるように制御する。本実施形態では、取得した輝度情報により、高輝度で保ちたい期間が予めわかっている。高輝度で保ちたい期間が長くなるにしたがって、輝度は低めに抑えられる。
【００５８】
また、例えば、表示部４４の全領域を点灯するときの輝度が５００ｃｄである場合に、全ての領域をまたいで、全時間において、輝度を５００ｃｄにすることで、光源の温度が制限温度を超えないようにすることができる。
【００５９】
図１０は、本実施形態に係る表示装置３０の映像再生モードにおける制御のフローチャートである。
【００６０】
ステップＳ１０において、取得部３２は、光源５０毎の輝度情報を、サーバ２０から取得する。取得部３２は、表示装置３０に備わる記憶部（不図示）に当該輝度情報を格納する。当該輝度情報は、輝度情報生成装置１０の生成部１２によって生成され、サーバ２０に格納された情報である。
【００６１】
ステップＳ２０において、表示制御部４２は、取得部３２が取得した映像データに基づいて、表示部４４に映像を表示させるよう制御し、映像再生を開始する。
【００６２】
ステップＳ３０において、温度制限部４０は、現在の再生位置を起点として１０分分の輝度情報を記憶部から取得する。
【００６３】
ステップＳ４０において、ピーク輝度検出部３８は、記憶部から取得した輝度情報を参照して、現在の再生位置を起点として１０分内において、表示部４４の領域中で輝度が最大となる領域を検出する。
【００６４】
ステップＳ５０において、光源制御部４８は、ステップＳ４０においてピーク輝度検出部３８が検出した表示部４４の領域中の輝度が最大となる領域以外の領域に対応する光源５０へ供給する電力を制限する。光源制御部４８は、輝度が最大となる領域以外の領域における映像の輝度が、輝度情報に応じた輝度より低くなるように制限する。
【００６５】
ステップＳ６０において、温度制限部４０は、現在の再生位置を起点として１０分分の輝度情報を記憶部から再取得する。温度制限部４０は、当該再取得を１分毎にする。
【００６６】
なお、本実施形態においては、光源５０は、直下型バックライトを採用したが、エッジライト方式バックライトを採用してもよい。
【００６７】
また、表示装置として有機ＥＬディスプレイ（ＯＥＬＤ）を採用してもよい。ＯＥＬＤは、自発光のデバイスであるので、各絵素単位で温度を制御するのが理想的である。しかしながら、絵素がＲＧＢ毎に用いられると、フルハイビジョンで６２２万絵素が用いられ、４Ｋ解像度ではフルハイビジョンの４倍の２４８８万絵素が用いられる。このため、絵素単位で温度を制御することは現実的でない。そこで、ＯＥＬＤを採用する場合には、ディスプレイ全体を仮想的な領域に分割して温度を制御して、ピーク輝度を出すタイミングを最適化すればよい。この仮想的な領域分割により、ピーク輝度を出す頻度を増やすこともできる。ただし、ＯＥＬＤを採用する場合は、本実施形態のように、表示部（例えば液晶パネル）と光源（例えば直下型バックライト）とを別々に制御することができない。このため、従来のＯＥＬＤに対して、領域毎の輝度制御をするための回路を追加する必要がある。
【００６８】
また、表示装置に輝度先読みモードを設けてもよい。輝度先読みモードは、ブルーレイディスクやネットコンテンツから映像データを取得するときに、取得した映像データによる映像再生に先だって、再生位置よりも数分先の映像データを先読みすることにより、映像データを解析し、輝度の時間的変化を示す輝度情報を生成できるモードである。
【００６９】
〔ソフトウェアによる実現例〕
表示装置３０の制御ブロック（特にローカルディミング制御部３４、表示制御部４２、および光源制御部４８）は、集積回路（ＩＣチップ）等に形成された論理回路（ハードウェア）によって実現してもよいし、ＣＰＵ（Central Processing Unit）を用いてソフトウェアによって実現してもよい。
【００７０】
後者の場合、表示装置３０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００７１】
〔まとめ〕
本発明の態様１に係る表示装置３０は、映像を表す映像データを取得する映像データ取得部（取得部３２）と、映像を表示するための複数の光源５０と、上記複数の光源５０の各々と対応する領域における当該映像の輝度の時間的変化を示す、光源毎の輝度情報を、当該映像が表示される前に取得する輝度情報取得部（取得部３２）と、上記輝度情報取得部（取得部３２）が取得した輝度情報を参照して、上記複数の光源５０の各々の輝度を制御する制御部（光源制御部４８）とを備えている。
【００７２】
上記の構成によれば、光源５０と対応する領域における映像の輝度の時間的変化に応じて、光源５０の輝度を制御することができる。
【００７３】
本発明の態様２に係る表示装置は、上記態様１において、上記制御部（光源制御部４８）は、上記光源５０毎の輝度情報から、所定の長さを有する期間内において、上記複数の光源５０の各々と対応する領域のうち最大輝度を持つ領域と、その最大輝度の値とに応じて、上記複数の光源５０の各々の輝度を制御してもよい。
【００７４】
上記の構成によれば、最大輝度を持つ領域と、その最大輝度の値とに応じて、光源５０の輝度を制御することができる。
【００７５】
本発明の態様３に係る表示装置３０は、上記態様１または２において、上記制御部（光源制御部４８）は、上記複数の光源５０の各々の温度に関連する指標を算出し、算出した指標が所定の閾値を超えないように制御してもよい。
【００７６】
上記の構成によれば、光源５０の温度が高くなりすぎることを防ぐことができる。
【００７７】
本発明の態様４に係る表示装置３０は、上記態様１〜３の何れか１態様において、上記複数の光源５０の配置に応じて、上記光源５０毎の輝度情報を変換する変換部（光源制御部４８）をさらに備えてもよい。
【００７８】
上記の構成によれば、表示装置３０に応じた輝度情報を参照して光源５０を制御することができる。
【００７９】
本発明の態様５に係るテレビジョン受像機１００は、態様１〜４の何れか１態様に記載の表示装置３０を備え、上記映像データ取得部（取得部３２）がチューナーである。
【００８０】
本発明の態様１〜４の何れか１態様に記載の表示装置３０は、コンピュータによって実現してもよく、この場合には、コンピュータを上記表示装置３０が備える各部（ソフトウェア要素）として動作させることにより上記表示装置３０をコンピュータにて実現させる表示装置３０の表示プログラム、およびそれを記録したコンピュータ読み取り可能な記録媒体も、本発明の範疇に入る。
【００８１】
本発明の態様６に係る輝度情報生成装置１０は、映像を構成する複数の領域における当該映像の輝度の時間的変化を示す輝度情報を生成する生成部１２を備えている。
【００８２】
上記の構成によれば、映像の輝度の時間的変化に応じて、輝度を制御することができる。
【００８３】
本発明の態様７に係るサーバ２０は、態様６に記載の輝度情報生成装置１０によって生成された輝度情報を記憶する記憶部を備えている。
【００８４】
本発明の態様８に係るコンピュータ読み取り可能な記録媒体は、態様６に記載の輝度情報生成装置１０が生成した上記輝度情報が記憶されている。
【００８５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８６】
１０  輝度情報生成装置
１２  生成部
２０  サーバ
２２  記憶部
３０  表示装置
３２  取得部（映像データ取得部、輝度情報取得部、変換部）
４８  光源制御部（制御部）
５０  光源
１００  テレビジョン受像機
【図１】
2018045150.tif 000003
【図２】
2018045150.tif 000004
【図３】
2018045150.tif 000005
【図４】
2018045150.tif 000006
【図５】
2018045150.tif 000007
【図６】
2018045150.tif 000008
【図７】
2018045150.tif 000009
【図８】
2018045150.tif 000010
【図９】
2018045150.tif 000011
【図１０】
2018045150.tif 000012